(57)【要約】【課題】  試料に含有される細菌の同定方法を提供すること。【解決手段】  細菌が、前記細菌を含有する試料を処理することにより得られるデータ流を分析すること（ここで、前記データ流は、少なくとも１種類の診断クラスターを含有する所定のベクトル空間において前記データ流を特徴付ける試料ベクトルを生成するために抽出されており、前記診断クラスターが既知のタイプの細菌と関連付けられる）、及び前記試料ベクトルが前記診断クラスター次第であるかどうかを決定することにより同定されることができ、前記試料が診断クラスター次第である場合、前記細菌が前記既知の種類のものであることが示され得る。同様に、芽胞は、芽胞を含有する試料を処理することにより得られるデータ流を分析すること（ここで、前記データ流が、少なくとも１種類の診断クラスターを含有する所定のベクトル空間において前記データストリームを特徴付ける試料ベクトルを生成するために抽出されており、前記診断クラスターが既知の種類の芽胞と関連付けられている）、及び前記試料ベクトルが前記診断クラスター次第であるかどうかを決定することにより同定されることができ、前記試料が前記診断クラスター次第なら、前記芽胞が前記既知の種類のものであることが示され得る。【選択図】図８Ａ
2008530555.tif 000002
【特許請求の範囲】
【請求項１】
細菌を含有する試料を処理することにより得られるデータ流を分析することによる細菌の同定方法であって、前記データ流は、少なくとも１種類の診断クラスターを含む所定のベクトル空間において前記データ流を特徴付ける試料ベクトルを生成するために抽出されており、前記診断クラスターは、既知の種類の細菌と関連付けられており、
前記試料ベクトルが診断クラスターのところにあるかどうかを決定する工程、及び
前記試料が診断クラスターのところにある場合に、前記細菌が既知の種類のものであることを示す工程を含む、方法。
【請求項２】
前記細菌が、バチルス、クロストリジウム及びマイコバクテリウムからなる属の群から選択される、請求項１に記載の方法。
【請求項３】
前記細菌が、バチルス・サブチルス、バチルス・セレウス、バチルス・チューリンゲンシス、バチルス・アントラシス、クロストリジム・ペルフィンゲンス、クロストリジム・テタニ、クロストリジウム・ソルデリー、クロストリジウム・デフィシル、マイコバクテリウム・スメグマチス及びマイコバクテリアム・ツベルクロシスからなる種の群から選択される、請求項２に記載の方法。
【請求項４】
前記データ流が、質量分析及び強磁場非対称波形イオン移動度分光計からなる群から選択される技術により生成される、請求項１に記載の方法。
【請求項５】
前記データ流が、微小微分型移動度分光計により生成される、請求項４に記載の方法。
【請求項６】
前記試料が、細菌培養物、細菌培養液、及び動物又はヒト患者から採取された痰、血液、尿、唾液、又は呼気から採取されたヘッドスペースガスからなる供給源の群から選択される、請求項１に記載の方法。
【請求項７】
芽胞を含有する試料を処理することにより得られるデータ流を分析することによる細菌の芽胞の同定方法であって、前記データ流は、少なくとも１種類の診断クラスターを含む所定のベクトル空間において前記データ流を特徴付ける試料ベクトルを生成するために抽出されており、前記診断クラスターは、既知の種類のの芽胞と関連付けられており、
前記試料ベクトルが診断クラスターのところにあるかどうかを決定する工程、及び
前記試料が前記診断クラスターのところにある場合、前記芽胞が前記既知の種類のものであることを示す工程とを含む、方法。
【請求項８】
前記芽胞を含有する試料が、熱分解により処理される、請求項７に記載の方法。
【請求項９】
前記芽胞が、バチルス、クロストリジウム及びマイコバクテリウムからなる属の群から選択される細菌により生成される、請求項７に記載の方法。
【請求項１０】
前記細菌が、バチルス・サブチルス、バチルス・セレウス、バチルス・チューリンゲンシス、バチルス・アントラシス、クロストリジム・ペルフィンゲンス、クロストリジム・テタニ、クロストリジウム・ソルデリー、クロストリジウム・デフィシル、マイコバクテリウム・スメグマチス及びマイコバクテリアム・ツベルクロシスからなる種の群から選択される、請求項９に記載の方法。
【請求項１１】
前記データ流が、質量分析及び強磁場非対称波形イオン移動度分光計からなる群から選択される技術により生成される、請求項７に記載の方法。
【請求項１２】
前記データ流が微小微分型移動度分光計により生成される、請求項１１に記載の方法。
【請求項１３】
細菌を含有する試料を処理することによる得られるデータ流から抽出された試料ベクトルを有するコンピューターシステムであって、前記試料ベクトルが、少なくとも１種類の診断クラスターを含む所定のベクトル空間において前記データ流を特徴付けており、前記診断クラスターが、既知の種類の細菌と関連付けられている、システム。
【請求項１４】
芽胞を含有する試料を処理することにより得られるデータ流から抽出された試料ベクトルを有するコンピューターシステムであって、前記試料ベクトルが、少なくとも１種類の診断クラスターを含む所定のベクトル空間において前記データ流を特徴付けており、前記診断クラスターが、既知の種類の芽胞と関連付けられている、システム。
【請求項１５】
細菌を含有する試料を処理することにより得られるデータ流から抽出された試料ベクトルを有する機械により読み取り可能な媒体であって、前記試料ベクトルが、少なくとも１種類の診断クラスターを含む所定のベクトル空間において前記データ流を特徴付けており、前記診断クラスターが、既知の種類の細菌と関連付けられている、媒体。
【請求項１６】
芽胞を含有する試料を処理することにより得られるデータ流から抽出された試料ベクターを有する機械により読み取り可能な媒体であって、前記試料ベクトルが、少なくとも１種類の診断クラスターを含む所定のベクトル空間において前記データ流を特徴付けており、前記診断クラスターが、既知の種類の芽胞と関連付けられている、媒体。
【請求項１７】
試料中の１種類以上の所定の細菌又は細菌の芽胞を検出するための持ち運び可能な装置であって、
試料を処理し、データ流をアウトプットするように構成された微小微分型移動度分光計と、
前記データ流を抽出し、少なくとも１種類の診断クラスターを含む所定のベクトル空間において前記データ流を特徴付ける試料ベクトルを生成するための手段であって、
前記診断クラスターが所定の細菌又は細菌の芽胞と関連付けられている手段と、
前記試料ベクターが前記診断クラスターのところにあるかどうかを決定し、前記試料が診断クラスターのところにある場合、前記試料が所定の細菌又は細菌芽胞を含有することを示すための手段と、
を含む、装置。
【発明の詳細な説明】
【技術分野】
【０００１】
本願は、２００５年２月９日に出願された、発明の名称「微分型移動度分光計及びパターン認識アルゴリズムを用いたバチルス属の芽胞の低レベル検出及び区別（Ｌｏｗ  Ｌｅｖｅｌ  Ｄｅｔｅｃｔｉｏｎ  ａｎｄ  Ｄｉｆｆｅｒｅｎｔｉａｔｉｏｎ  ｏｆ  Ｂａｃｉｌｌｕｓ  Ｓｐｏｒｅｓ  Ｕｓｉｎｇ  ａ  Ｄｉｆｆｅｒｅｎｔｉａｌ  Ｍｏｂｉｌｉｔｙ  Ｓｐｅｃｔｒｏｍｅｔｅｒ  ａｎｄ  Ｐａｔｔｅｒｎ  Ｒｅｃｏｇｎｉｔｉｏｎ  Ａｌｇｏｒｉｔｈｍｓ）」の米国仮出願第６０／６５０，９７９号、及び２００５年２月２３日に出願された、発明の名称「微分型移動度分光計及びバイオインフォマティクスパターン認識を用いた種特異的細菌同定（Ｓｐｅｃｉｅｓ−Ｓｐｅｃｉｆｉｃ  Ｂａｃｔｅｒｉａ  Ｉｄｅｎｔｉｆｉｃａｔｉｏｎ  Ｕｓｉｎｇ  Ｄｉｆｆｅｒｅｎｔｉａｌ  Ｍｏｂｉｌｉｔｙ  Ｓｐｅｃｔｒｏｍｅｔｒｙ  ａｎｄ  Ｂｉｏｉｎｆｏｒｍａｔｉｃｓ  Ｐａｔｔｅｒｎ  Ｒｅｃｏｇｎｉｔｉｏｎ）」の米国仮出願第６０／６５５，４７０号（仮出願の内容は、全体として参照により本明細書に援用される）に基づく優先権を主張する。
【背景技術】
【０００２】
背景
細菌は成長し、増殖するにつれ、これを分析して、分種化のために用いることのできる種々の揮発性化合物を放出し、これにより、患者の呼気を分析して疾患の診断を受けやすい方法が提供される。現在、様々な化学物質検出器や分析試料が、細菌の代謝の揮発性副産物の同定において用いるため、さらに改良されており（１、２）、そしてヒトの呼気中の揮発性構成物質の分析に十分高感度である（３、４）。これらの呼気検出技術の多くは、感染又はストレスに応答して微生物又はそれらの感染宿主により生成される、一酸化窒素（５）、エタン及びペンタン（６）、アルデヒド（７）、イソプレン（８）、水素及び一酸化炭素（９）等の揮発性有機化合物を測定することに焦点を当てている。
【０００３】
これらの分析は、微生物タイピングによる診断よりはるかに時間がかからず、費用がかからずかつ侵襲性でない、慢性肺疾患（１０〜１２）や心不全（８）等の多種多様な疾患の経過を診断又は追跡を可能にする。感染した肺スペースの１つの実験モデルは、液体培養物中の細菌により放出された細菌特異的揮発性物質のヘッドスペース分析である。いくつかの共通する肺病原体の自動ヘッドスペース濃度ガスクロマトグラフィー−水素炎イオン化検出（ＧＣ−ＦＩＤ）分析により、多数の特徴的かつ高度に保存された主成分が明らかにされている（１３）。ヘッドスペース揮発性物質のガスクロマトグラフィー−質量分析（ＧＣ−ＭＳ）も様々なシュードモナス属（Ｐｓｅｕｄｏｍｏｎａｓ）の細菌について行われ、メチルケトン、アルコール、及び硫黄代謝産物の相対的濃度の違いが示されている（１４）。液体クロマトグラフィーを用いても、種々の脂肪酸及びミコール酸分解産物の調査により、マイコバクテリウム属（Ｍｙｃｏｂａｃｔｅｒｉｕｍ）の密接に関連する種間で首尾よく区別された（１５）。ガスクロマトグラフィーは、腸内病原体であるクロストリジウム・ディフィシレ（Ｃｌｏｓｔｒｉｄｉｕｍ  ｄｉｆｆｉｃｉｌｅ）の同定のために用いられ、これは、他のクロストリジウム属（Ｃｌｏｓｔｒｉｄｉａ）と比較してクロストリジウム・デフィシレにより代謝的に生成される異なる短鎖脂肪酸に基づく（１６）。
【０００４】
これらの検出方法を臨床診断及び当該分野における他の使用に適合させることの主要な障壁は、それらの技術上の複雑さ及び分析機器の物理的大きさである。この理由のため、揮発性放出を分析するための、小型化された現場で使用可能な装置が強く求められている。かかる装置の一つである、微小微分型移動度分光計（マイクロＤＭｘ（ｍｉｃｒｏＤＭｘ））は、イオンフィルタリング及び検出のため、高強度ＲＦ場におけるイオンの非直線的移動度依存性を使用する（１７、１８）。不活性ガスにより運ばれたイオンは、２つの電場により調節された２つの平面電極間を通過する（それぞれのイオンに固有の変動可能なＤＣ補償電圧が重ね合わされ、非対称、時間依存、周期的ポテンシャルである）、分析物がイオンフィルター電極間を検出器及び偏向電極まで通過することを可能にする（１９）。類似の検出器は、既に、手荷物を選別するため世界的に空港で日常的に使用されている（２０）。
【０００５】
細菌の分類のために微小微分型移動度分光計を用いた従前の研究は、熱分解と組み合わせて行われており、微生物全体が熱的に分解され、全細胞の化学的性質又は種特異的な個々の化合物が、生成された複雑なスペクトルから分析される（２１、２２）。これらの研究は、細胞化合物を研究し、生物体を同定する際の原理がそれらの固有の部分及び過程に基づく一方、熱分解により放出される細胞化合物は、正常な生理的条件下では揮発性物質として放出されないので、インビボの呼気分析の適用を受けにくい。
【０００６】
さらに、ＭＳ及びＦＩＤにより生じたデータを定量的かつ定性的に分析するのには十分機能する、ピーク同定の伝統的な方法は、微分型移動度検出に用いると問題がある。混合物がイオン移動度分光計により分析される場合、１種類以上の成分を選択的にイオン化すると、試料中の他の成分のプロダクトイオンの形成を妨げる。例えば、４種類以上のイオン化成分が一緒に混合されると、いくつかの個々のピークの消失及び／又は個々のピークの合体が生じる（２３）。このような挙動は、分解及び感度について理論上、実験上の綿密なモデル化がなされているにもかかわらず、なぜこれらのタイプの装置における分子構造と補償電圧との相関関係が未だに決定されていないか（１９）を説明し得る（２４）。
【０００７】
一組の一致化合物に基づく生物の同定にも欠陥があり、この方法においては揮発性化合物の生成は、全生態系の動力学に依存する（２１）。個々の種は、環境パラメーターが一致する場合のみ揮発性物質の再現可能なプロファイルを生成する。成長条件の変化は、所定の種の揮発性プロファイルを変化させることができる。さらに、他の生物の添加は、これらの「汚染物」によって放出される揮発物質が、目的生物の予測された揮発性プロファイルを変えながら、目的生物の揮発性化合物の産生の変化（２５）等のコミュニケーション様式として作用し得るので、プロファイルを複雑にし得る。
【０００８】
生物学的因子の攻撃の可能性についての関心が高まるにつれ、生物学的兵器因子を容易に検出し、同定することができる、持ち運び可能で、安価で、かつ耐久性のあるセンサーの必要性が高まっている。炭疽の病原因子であるバチルス・アンスラシス（Ｂ．ａｎｔｈｒａｃｉｓ）は、放出された場合に破壊能力を有する最も危険な疾患原因生物の１つとして認識されている（５２）。炭疽菌の芽胞は吸入され、リンパ節に運ばれると、最高６０日後まで成長することができる（５３）。成長する細菌は、壊死、浮腫、及び大量出血を引き起こす毒素を産生する（５４、５５）。これが放出された場合において、炭疽菌の存在を迅速に検出することは、暴露された患者を効果的に処置するために重要である（５６）。環境上の芽胞の存在を迅速に同定することは、いくつかの理由から困難である：ＤＮＡが芽胞内部で十分に保護されていること、種々の血清型が存在すること、及び芽胞構造が、植物性細胞と生化学的に異なること（５７〜６０）。さらに、バチルス・アンスラシスは、バチルス・セレウス（Ｂａｃｉｌｌｕｓ  ｔｈｕｒｉｎｇｉｅｎｓｉｓ）及びバチルス・チューリンゲンシス（Ｂａｃｉｌｌｕｓ  ｔｈｕｒｉｎｇｉｅｎｓｉｓ）等の他のバチルス種（Ｂａｃｉｌｌｕｓ）と遺伝的に類似し（６１、６２）、非病原性芽胞と可能性のある生物学的兵器との区別を複雑にする。
【０００９】
２００１年１０月、アメリカ合衆国が炭疽菌により攻撃されて以来、高感度かつ特異的な炭疽菌検出システムを見出すことに焦点を絞った多くの研究がなされてきた。現在まで、多くの研究は、核酸の検出に焦点が当てられ（６３〜７５）、そしてそれは、きわめて高感度である。しかしながら、芽胞は、分析に先立ち、少なくとも一部は成長していなければならず、複数の試薬を必要とし、分析時間は、芽胞の数の少ない試料については依然として約３０分又はそれ以上必要である。広く研究されてきた別の検出方法は、免疫検出である（５７〜５９、６４、７６〜８０）。これらの分析もまた同様に、非常に高感度であり得るが、複数のの試薬を必要とし、依然として通常３０分以上かかる。別の懸念は、用いられる抗体の交差反応性である。質量分析を用いて、芽胞が検出されてきたが（８１〜８６）、感度は、核酸又は抗体検出ほど高くない。加えて、質量分光計は、依然として非常に高価であり、その現場での使用の可能性を制限している。
【００１０】
これまで、１０５未満の芽胞の検出レベルはほとんど報告されていない。ＩＤ５０（感染量の中央値）は、８，０００〜１０，０００芽胞であると報告されている（８７）。ＬＤ５０（致死量の中央値）は、アカゲザルにおいて６１，８００個の芽胞であると報告されている（８８）。アラカワ（Ａｒａｋａｗａ）らは、微小熱量測定分光法を用いた１，０００個の芽胞の検出を報告している（８９）が、この技術は、水の存在下では失敗するため、分析前に試料を凍結乾燥する必要がある。
【００１１】
生物戦争物質の検出器と同様に、揮発性化合物を放出する細菌及び他の微生物を容易に検出することができ、、小型で、安価で、確固なセンサーが緊急に必要とされている。例えば、意図的な放出現象における、炭疽の病原因子であるバチルス・アンスラシスは、最も危険な疾患を生じる生物の１つである。現在、炭疽検出研究の多くが、核酸検出、免疫アッセイ、及び質量分析に集中し、報告されている検出レベルは芽胞１０５個未満である。
【非特許文献１】Gibson, T. D.; Prosser, O.; Hulbert, J. N.; Marshall, R. W.; Corcoran, P.; Lowery, P.; Ruck-Keene, E. A.; Heron, S. Sensors and Actuators B 1997, 44, 413-422.
【非特許文献２】McEntegart, C. M.; Penrose, W. R.; Strathmann, S.; Stetter, J. R. Sensors and Actuators B 2000, 70, 170-176.
【非特許文献３】Kharitonov, S. A.; Barnes, P. J. American Journal of Respiratory and Critical Care Medicine 2001, 163, 1693-1722.
【非特許文献４】Phillips, M. Analytical Biochemistry 1997, 247, 272-278.
【非特許文献５】Borland, C; Cox, Y.; Higenbottam, T. Thorax 1993, 48, 1160-1162.
【非特許文献６】Phillips, M.; Greenberg, J.; Cataneo, R. N. Free Rad. Res. 2000, 33, 57-63.
【非特許文献７】Corradi, M.; Rubinstein, L; Andreoli, R.; Manini, P.; Caglieri, A.; PoIi, D.; Alinovi, R.; Mutti, A. American Journal of Respiratory and Critical Care Medicine 2003, 167, 1380- 1386.
【非特許文献８】McGrath , L. T.; Patrick, R.; Silke, B. European Journal of Heart Failure 2001, 3, 423-427.
【非特許文献９】Sannolo, N. Journal of Chromatography, Biomedical Applications 1983, 276, 257- 265.
【非特許文献１０】Phillips, M.; Gleeson, K.; Hughes, J. M. B.; Greenberg, J.; Cataneo, R. N.; Baker, L.; McVay, W. P. The Lancet 1999, 353, 1930-1933.
【非特許文献１１】Natale, C. D.; Macagnano, A.; Martinelli, E.; Paolesse, R.; D'Arcangelo, G.; Roscioni, C; Finazzi-Agro, A.; D'Amico, A. Biosensors & Bioelectronics 2003, 00, 1-10.
【非特許文献１２】Carpagnano, G. E.; Barnes, P. J.; Geddes, D. M.; Hodson, M. E.; Kharitonov, S. A. American Journal of Respiratory and Critical Care Medicine 2003, 167, 1109-1112.
【非特許文献１３】Zechman, J. M.; Aldinger, S.; Labows, J. N. Journal of Chromatography, Biomedical Applications 1986, 377, 49-57.
【非特許文献１４】Labows, J. N.; McGinley, K. J.; Webster, G. F.; Leyden, J. J. Journal of Clinical Microbiology 1980, 12, 521-526.
【非特許文献１５】Chou, S.; Chedore, P.; Kasatiya, S. Journal of Clinical Microbiology 1998, 36, 577- 579.
【非特許文献１６】Cundy, K. V.; Willard, K. E.; Valeri, L. J.; Shanholtzer, C. J.; Singh, J.; Peterson, L. R. Journal of Clinical Microbiology 1991, 29, 260-263.
【非特許文献１７】Miller, R. A.; Nazarov, E. G.; Eiceman, G. A.; King, A. T. Sensors and Actuators A 2001, 91, 307-318.
【非特許文献１８】Krylov, E.; Nazarov, E. G.; Miller, R. A.; Tadjikov, B.; Eiceman, G. A. Journal of Physical Chemistry A 2002, 106, 5437-5444.
【非特許文献１９】Miller, R. A.; Eiceman, G. A.; Nazarov, E. G.; King, A. T. Sensors and Actuators B 2000, 67, 300-306.
【非特許文献２０】Eiceman, G. A.; Krylov, E. V.; Krylova, N. S.; Nazarov, E. G.; Miller, R. A. Analytical Chemistry 2004, 76, 4937-4944.
【非特許文献２１】Snyder, A. P.; Dworzanski, J. P.; Tripathi, A.; Maswadeh, W. M.; Wick, C. H. Analytical Chemistry 2004, 76, 6492-6499.
【非特許文献２２】Schmidt, H.; Tadjimukhamedov, F.; Mohrenz, I. V.; Smith, G. B.; Eiceman, G. A. Analytical Chemistry 2004, 76, 5208-5217.
【非特許文献２３】Eiceman, G. A.; Karpas, Z. Ion Mobility Spectrometry, CRC Press: Boca Raton, 1994.
【非特許文献２４】Shvartsburg, A. A.; Tang, K.; Smith, R. D. Journal of American Society for Mass Spectrometry 2004, 15, 1487-1498.
【非特許文献２５】Wheatley, R. E. Antonie van Leeuwenhoek 2002, 81, 357-364.
【非特許文献２６】Petricoin III, E. F.; Ornstein, D. K.; Paweletz, C. P.; Ardekani, A. M.; Hackett, P. S.; Hitt, B. A.; Velassco, A.; Trucco, C; Wiegand, L.; Wood, K.; Simone, C. B.; Levine, P. J.; Linehan, W. M.; Emmert-Buck, M. R.; Steinberg, S. M.; Kohn, E. C; Liotta, L. A. Journal of the National Cancer Institute 2002, 94, 1576-1578.
【非特許文献２７】Orenstein, D. K.; Rayford, W.; Fusaro, V. A.; Conrads, T. P.; Ross, S. J.; Hitt, B. A.; Wiggins, W. W.; Veenstra, T. D.; Liotta, L. A.; Petricoin III, E. F. Journal of Urology 2004, 172, 1302-1305.
【非特許文献２８】Petricoin III, E. F.; Ardekani, A. M.; Hitt, B. A.; Levine, P. J.; Fusaro, V. A.; Steinberg, S. M.; Mills, G. B.; Simone, C; Fishman, D. A.; Kolin, E. C; Liotta, L. A. The Lancet 2002, 359, 572-577.
【非特許文献２９】Conrads, T. P.; Fusaro, V. A.; Ross, S.; Johann, D.; Rajapakse, V.; Hitt, B. A.; Steinberg, S. M.; Kohn, E. C; Fishman, D. A.; Whiteley, G.; Barrett, J. C; Liotta, L. A.; Petricoin III, E. F.; Veenstra, T. D. Endocrine-Related Cancer 2004, 11, 163-178.
【非特許文献３０】Krebs, M. D.; Mansfield, B.; Cohen, S. J.; Hitt, B. A.; Sonenshein, A. L.; Davis, C. E. Nature Methods Manuscript in Preparation.
【非特許文献３１】Krylova, N. S.; Krylov, E.; Eiceman, G. A.; Stone, J. A. Journal of Physical Chemistry A 2003, 107, 3648-3654.
【非特許文献３２】Holland Adaptation in Natural and Artificial Systems: an Introductory Analysis with Applications to Biology, Control, and Artificial Intelligence, Edn. 3.; MIT Press: Cambridge, MA, 1992.
【非特許文献３３】Kohonen, T. Biol Cybern 1982, 43, 59-69.
【非特許文献３４】Stone, J. H. R., V. N.; Hofftnan, G. S.; Specks, U.; Merkel, P. A.; Spiera, R.; Davis, J. C; St. Clair, E. W.; McCune, L; Ross, S.; Hitt, B. A.; Veenstra, T. D.; Conrads, T. P.; Liotta, L. A.; Petricoin, E. F. III. Arthritis and Rheumatism In Press.
【非特許文献３５】Elgaali, H.; Hamilton-Kemp, T. R.; Newman, M. C; Collins, R. W.; Yu, K.; Archbold, D. D. Journal of Basic Microbiology 2002, 42, 373-380.
【非特許文献３６】Claeson, A.; Levin, J.; Blomquist, G.; Sunesson, A. Journal of Environmental Monitoring 2002, 4, 667-672.
【非特許文献３７】Zechman, J. M.; Labows, J. N. Canadian Journal of Microbiology 1985, 31, 232-237.
【非特許文献３８】Nelson, N.; Lagesson, V.; Nosratabadi, A. R.; Ludvigsson, J.; Tagesson, C. Pediatric Research 1998, 44, 363-367.
【非特許文献３９】Musa-Veloso, K.; Rarama, E.; F., C; Curtis, R.; cunnane, S. Pediatric Research 2002, 52, 443-448.
【非特許文献４０】O'Neill, H. J.; Gordon, S. M.; Krotoszynski, B.; Kavin, H.; Szidon, J. P. Biomedical Chromatography 1987, 2, 66-70.
【非特許文献４１】Sharma, S. K.; Mohan, A. Indian Journal of Medical Research 2004, 120, 354-376.
【非特許文献４２】Madigan, M. T.; Martinko, J. M.; Parker, J. Biology of Microorganisms, 9th ed.; Prentice Hall: Upper Saddle River, NJ, 2000.
【非特許文献４３】Newcombe, R. G. Statistics in Medicine 1998, 17, 857-872.
【非特許文献４４】Feng, P. C. S.; Hartmann, P. A. Applied and Environmental Microbiology 1982, 43, 1320-1329.
【非特許文献４５】Hansen, W.; Yourassowsky, E. Journal of Clinical Microbiology 1984, 20, 1177- 1179.
【非特許文献４６】Lambertus, G.; Elstro, A.; Sensenig, K.; Potkay, J.; Agah, M.; Seheuering, S.; Wise, K.; Dorman, F.; Sacks, R. Analytical Chemistry 2004, 76, 2629-2637.
【非特許文献４７】Ruzsanyi, V.; Baumbach, J. I.; Sielemann, S.; Litterst, P.; Westhoff, M.; Freitag, L. J. Chromatographia A Manuscript in press.
【非特許文献４８】Wilkins, K.; Larsen, K.; Simkus, M. Chemosphere 2000, 41, 437-446.
【非特許文献４９】Rose, L. J.; Simmons, R. B.; Crow, S. A.; Ahearn, D. G. Current Microbiology 2000, 41, 206-209.
【非特許文献５０】Korpi, A.; Pasanen, A.; Pasanen, P. Applied and Environmental Microbiology 1998, 2914-2919.
【非特許文献５１】Elliott-Martin, R. J.; Mottram, T. T.; Gardner, J. W.; Hobbs, P. J.; Bartlett, P. N. Journal of Agricultural Engineering Research 1997, 67, 267-275.
【非特許文献５２】Inglesby, T. V. et al. Anthrax as a Biological Weapon: Medical and Public Health Management. JAMA 271, 1735-1963 (1999).
【非特許文献５３】Friedlander, A.M. et al. Postexposure prophylaxis against experimental inhalation anthrax. J Infect Dis 167, 1239-1243 (1993).
【非特許文献５４】Smith, H. & Keppie, J. Observations on experimental anthrax; demonstration of a specific lethal factor produced in vivo by Bacillus anthracis. Nature 173, 869-870 (1954).
【非特許文献５５】Friedlander, A.M. in Textbook of Military Medicine: Medical Aspects of Chemical and Biological Warfare, (eds. R. Zajtchuk & R.F. Bellamy) 467-478 (Office of the Surgeon General, U.S. Department of the Army, Washington D.C.; 1997).
【非特許文献５６】Brookmeyer, R., Johnson, E. & Bollinger, R. Modeling the optimum duration of antibiotic prophylaxis in an anthrax outbreak. Proc Natl Acad Sci U SA 100, 10129- 10132 (2003).
【非特許文献５７】Phillips, A.P., Martin, K.L. & Broster, M.G. Differentiation between spores of Bacillus anthracis and Bacillus cereus by a quantitative immunofluorescence technique. J Clin Microbiol 17, 41-47 (1983).
【非特許文献５８】Phillips, A.P. & Martin, K.L. Quantitative immunofluorescence studies of the serology of Bacillus anthracis spores. Appl Environ Microbiol 46, 1430-1432 (1983).
【非特許文献５９】Phillips, A.P. & Martin, K.L. Investigation of spore surface antigens in the genus Bacillus by the use of polyclonal antibodies in immunofluorescence tests. J Appl Bacteriol 64, 47-55 (1988).
【非特許文献６０】Lampel, K.A., Dyer, D., Kornegay, L. & Orlandi, P.A. Detection of Bacillus Spores Using PCR and FTA Filters. J Food Protection 67, 1036-1038 (2004).
【非特許文献６１】Radnedge, L. et al. Genome Differences that Distinguish Bacillus anthracis from Bacillus cereus and Bacillus thuringiensis. Appl Environ Microbiol 69, 2755-2764 (2003).
【非特許文献６２】Helgason, E. et al. Bacillus anthracis, Bacillus cereus, and Bacillus thuringiensis- One Species on the Basis of Genetic Evidence. Appl Environ Microbiol 66, 2627-2630 (2000).
【非特許文献６３】Nakano, S. et al. A PCR Assay Based on a Sequence-Characterized Amplified Region Marker for Detection of Emetic Bacillus cereus. J Food Protection 67, 1694-1701 (2004).
【非特許文献６４】Iqbal, S. S. et al. A review of molecular recognition techniques for detection of biological threat agents. Biosens Bioelectron 15, 549-578 (2000).
【非特許文献６５】Patra, G., Sylvestre, P., Ramisse, V., Therasse, J. & Guesdon, J.L. Isolation of a specific chromosomic DNA sequence of Bacillus anthracis and its possible use in diagnosis. FEMS Immunol Med Microbiol 15, 223-231 (1996).
【非特許文献６６】Lee, M.A., Brightwell, G., Leslie, D., Bird, H. & Hamilton, A. Fluorescent detection techniques for real-time multiplex strand specific detection of Bacillus anthracis using rapid PCR. J Appl Microbiol 87, 218-223 (1999).
【非特許文献６７】Makino, S.I., Cheun, H.I., Watarai, M., Uchida, I. & Takeshi, K. Detection of anthrax spores from the air by real-time PCR. Lett Appl Microbiol 33, 237-240 (2001).
【非特許文献６８】Tumbull, P.C. et al. Bacillus anthracis but not always anthrax. J Appl Bacteriol 72, 21-28 (1992).
【非特許文献６９】Higgins, J.A., Ibrahim, M.S. & Knauert, F.K. Sensitive and rapid identification of biological threat agents. Ann NY Acad Sci 894, 130-148 (1999).
【非特許文献７０】Cooney, S. Rapid anthrax test development. Nature Medicine 7, 1265.
【非特許文献７１】UhI, J.R. et al. Application of rapid-cycle real-time polymerase chain reaction for the detection of microbial pathogens: the Mayo-Roche Rapid Anthrax Test. Mayo Clin Proc 77, 673-680 (2002).
【非特許文献７２】Alam, S., Agarwal, G., Kamboj, D., Rai, G. & Singh, L. Detection of spores of Bacillus anthracis from environment using polymerase chain reaction. Indian J Exp Biol 41, 177-180 (2003).
【非特許文献７３】McBride, M.T. et al. Autonomous Detection of Aerosolized Bacillus anthracis and Yersinia pestis. Anal Chem 75, 5293-5299 (2003).
【非特許文献７４】Baeumner, AJ. , Pretz, J. & Fang, S. A Universal Nucleic Acid Sequence Biosensor with Nanomolar Detection Limits. Anal Chem 76, 888-894 (2004).
【非特許文献７５】Ryu, C, Lee, K., Yoo, C, Seong, W.K. & Oh, H.B. Sensitive and Rapid Quantitative Detection of Anthrax Spores Isolated from Soil Samples by Real-Time PCR. Microbiol Immunol 4,1 ', 693-699 (2003).
【非特許文献７６】De, B.K. et al. A Two-Component Direct Fluorescent-Antibody Assay for Rapid Identification of Bacillus anthracis. Emerg Infect Dis 8, 1060-1065 (2002).
【非特許文献７７】Longchamp, P. & Leighton, T. Molecular recognition specificity of Bacillus anthracis spore antibodies. J Appl Microbiol 87, 246-249 (1999).
【非特許文献７８】Zhou, B., Wirsching, P. & Janda, K.D. Human antibodies against spores of the genus Bacillus: a model study for detection of and protection against anthrax and the bioterrorist threat. Proc Natl Acad Sd USA 99, 5241-5246 (2002).
【非特許文献７９】Quinlan, JJ. & Foegeding, P.M. Monoclonal Antibodies for Use in Detection of Bacillus and Clostridium Spores. Appl Environ Microbiol 63, 482-487 (1997).
【非特許文献８０】Hindson, BJ. et al. Development of and Automated Sample Preparation Module for Environmental Monitoring of Biowarfare Agents. Anal Chem 16, 3492-3497 (2004).
【非特許文献８１】Beverly, M.B., Basile, F. & Voorhees, KJ. A Rapid Approach for the Detection of Dipicolinic Acid in Bacterial Spores Using Pyrolysis/Mass Spectrometry. Rapid Commim Mass Spectrom 10, 455-458 (1996).
【非特許文献８２】Fox, A., Black, G.E., Fox, K. & Rostovtseva, S. Determination of carbohydrate profiles of Bacillus anthracis and Bacillus cereus including identification of O-methyl methylpentoses using gas chromatography-mass spectrometry. J CHn Microbiol 31, 887-894 (1993).
【非特許文献８３】Goodacre, R. et al. Detection of the Dipicolinic Acid Biomarker in Bacillus Spores Using Curie-Point Pyrolysis Mass Spectrometry and Fourier Transform Infrared Spectroscopy. ^/ Chem 72, 119-127 (2000).
【非特許文献８４】Tripathi, A., Maswadeh, W.M. & Snyder, A.P. Optimization of quartz tube pyrolysis atmospheric pressure ionization mass spectrometry for the generation of bacterial biomarkers, Rapid Commun Mass Spectrom 15, 1672-1680 (2001).
【非特許文献８５】Smith, P.A. & MacDonald, S. Gas Chromatography using a resistively heated column with mass spectrometric detection for rapid analysis of pyridine released from Bacillus spores. J Chromatography A 1036, 249-253 (2004).
【非特許文献８６】Fergenson, D.P. et al. Reagentless Detection and Classification of Individual Bioaerosol Particles in Seconds. Anal Chem 76, 373-378 (2004).
【非特許文献８７】Cieslak, TJ. & Eitzen, E.M. Clinical and Epidemilogic Principles of Anthrax. Emerg Infect Dis 5, 552-555 (1999).
【非特許文献８８】Vasconcelos, D. et al. Pathology of inhalation anthrax in cynomolgus monkeys (Macaca fascicularis). Lab Invest 83, 1201-1209 (2003).
【非特許文献８９】Arakawa, E.T., Lavrik, N.V. & Datskos, P.G. Detection of anthrax simulants with microcalorimetric spectroscopy: Bacillus subtilis and Bacillus cereus spores. Applied Optics 42, 1757-1762 (2003).
【非特許文献９０】Schaeffer, P., Millet, J. & Aubert, J.P. Catabolic Repression of Bacterial Sporulation. Proc Natl Acad Sci USA 54, 704-711 (1965).
【非特許文献９１】Fouet, A. & Sonenshein, A.L. A target for carbon source-dependent negative regulation of the citB promoter of Bacillus subtilis. J. Bacterial. 172, 835-844 (1990).
【非特許文献９２】Miller, R.A., Nazarov, E.G., Eiceman, G.A. & King, A.T. A MEMS radio-frequency ion mobility spectrometer for chemical vapor detection. Sensors and Actuators 91, 307-318 (2001).
【非特許文献９３】Krylova, N.S., Krylov, E., Eiceman, G.A. & Stone, J.A. Effect of Moisture on the Field Dependence of Mobility for Gas-Phase Ions of Organophosphorus Compounds at Atmospheric Pressure with Field Asymmetric Ion Mobility Spectrometry. J Phys Chem A 107, 3648-3654 (2003).
【非特許文献９４】Ornstein, D.K. et al. Serum proteomic profiling can discriminate prostate cancer from benign prostates in men with total prostate specific antigen levels between 2.5 and 15.0 ng/ml. J Urol 172, 1302-1305 (2004).
【非特許文献９５】Conrads, T.P. et al. High-resolution serum proteomic features for ovarian cancer detection. Endocr Relat Cancer 11, 163-178 (2004).
【非特許文献９６】Stone, J.H. et al. A Serum Proteomic Approach To Gauging The State Of Remission hi Wegener's Granulomatosis. Arthritis and Rheumatism In Press (2004).
【非特許文献９７】Petricoin, E.F. et al. Use of Proteomic Patterns in Serum to Identify Ovarian Cancer. The Lancet 359, 572-577 (2002).
【非特許文献９８】Petricoin, E.F. et al. Serum Proteomic Patterns for Detection of Prostate Cancer. J National Cancer Institute 94, 1576-1578 (2002).
【非特許文献９９】Adaptation in natural and artificial systems: an introductory analysis with applications to biology, control, and artificial intelligence, Edn. 3. (MIT Press, Cambridge (MA); 1992).
【非特許文献１００】Kohonen, T. Self-organized formation of topologically correct feature maps. Biol Cybern 43, 59-69 (1982).
【非特許文献１０１】Krebs, M.D. et al. Detection of Biological and Chemical Agents using Differential Mobility Spectrometry (DMS) Technology. IEEE Sensors Journal In Review (2004).
【非特許文献１０２】Miller, R. A., Eiceman, G. A., Nazarov, E.G. & King, A.T. A novel micromachined high-field asymmetric waveform-ion mobility spectrometer. Sensors and Actuators 67, 300-306 (2000).
【非特許文献１０３】Miller, R.A., Eiceman, G.A., Nazarov, E.G. & King, A.T. in Solid-State Sensor and Actuator WorkshopHilton Head Island, SC; 2000).
【非特許文献１０４】Eiceman, G. A. et al. Miniature radio-frequency mobility analyzer as a gas chromatographic detector for oxygen-containing volatile organic compounds, pheromones, and other inset attractants. J Chromatography 917, 205-217 (2001).
【非特許文献１０５】Krylov, E., Nazarov, E.G., Miller, R. A., Tadjikov, B. & Eiceman, G. A. Field Dependence of Mobilities for Gas-Phase-Protonated Monomers and Proton-Bound Dimers of Ketones by Planar Field Asymmetric Waveform Ion Mobility Spectrometer (PFAIMS). JPhys Chem 106, 5437-5444 (2002).
【非特許文献１０６】Schmidt, H., Tadjimukhamedov, F., Mohrenz, I. V., Smith, G.B. & Eiceman, G.A. Microfabricated differential mobility spectrometry with pyrolysis gas chromatography for chemical characterization of bacteria. Anal Chem 16, 5208-5217 (2004).
【非特許文献１０７】Eiceman, G.A., Krylov, E.V., Krylova, N.S., Nazarov, E.G. & Miller, R.A. Separation of ions from explosives in differential mobility spectrometry by vapor-modified drift gas. Anal Chem 76, 4937-4944 (2004).
【非特許文献１０８】Eiceman, G.A. et al. Differential Mobility Spectrometry of Chlorocarbons with a Micro-Fabricated Drift Tube. Analyst 129, 297-304 (2004).
【非特許文献１０９】Davis, CE. et al. in Transducers, Solid-State Sensors, Actuators and Microsystems, 12th lnnational Conference on, Vol. 2 1233-12372003).
【発明の開示】
【課題を解決するための手段】
【００１２】
概要
細菌を含有する試料を処理することにより得られるデータ流を分析すること（ここで、前記データ流は、少なくとも１種類の診断クラスターを含む所定のベクトル空間において前記データ流を特徴付ける試料ベクトルを生成するために抽出（ａｂｓｔｒａｃｔ）されており、前記診断クラスターは既知の種類の細菌と関連付けられている）、及び、前記試料ベクトルが前記診断クラスターに依存するかどうかを決定すること、により細菌を同定することができ、前記試料が前記診断クラスターに依存する場合、細菌が既知の種類のものであることが示される。同様に、前記芽胞を含有する試料を処理することにより得られるデータ流を分析すること（ここで、前記データ流は、少なくとも１種類の診断クラスターを含む所定のベクトル空間におけるデータ流を特徴付ける試料ベクターを生成するために抽出され、前記診断クラスターが既知の種類芽胞と関連付けられている）、及び、前記試料ベクトルが前記診断クラスターに依存するかどうかを決定することにより、芽胞を同定することができ、前記試料が前記診断クラスターに依存する場合、前記芽胞が既知の種類のものであることが示される。
【発明を実施するための最良の形態】
【００１３】
詳細な説明
細菌は成長し、増殖するにつれ、これを分析することにより、分種化のために用いられ得る種々の揮発性化合物を放出し、これにより、患者の呼気分析による疾患の診断に用いることのできる方法が提供される。質量分析検出及び全細胞熱分解方法の現実的なの代替方法として、本発明は、１つの態様において、周囲温度かつ大気圧で操作可能な、高感度の微小微分型移動度分光計（マイクロＤＭｘ（商標））を用いたかかる揮発性化合物の検出を含む方法に関する。
【００１４】
最近、改良されたバイオインフォマティクスアルゴリズム（コレロジック・システムズ株式会社（Ｃｏｒｒｅｌｏｇｉｃ  Ｓｙｓｔｅｍｓ，Ｉｎｃ．）（登録商標）が、前立腺癌（２６、２７）及び卵巣癌（２８、２９）のバイオマーカーの検出用血清プロテオミクスパターンに適用されている。この技術は、米国特許第６，９２５，３８９号明細書及び米国特許公開第２００２／００４６１９８号明細書（その開示は、参照により本明細書に援用される）において記載されている。
【００１５】
開示された方法は、（１）小型の、高感度かつ安価な検出器と、（２）１つの種セットの中の試料間でばらつきがあるにも関わらず、細菌種の分類を可能にする改良されたデータ分析を用いて、細菌ヘッドスペースを分析する。これらの実験のために選択された細菌は、エシェリキア・コリ（Ｅｓｃｈｅｒｉｃｈｉａ  ｃｏｌｉ）、バチルス・サブチルス（Ｂａｃｉｌｌｕｓ  ｓｕｂｔｉｌｉｓ）、バチルス・チューリンゲンシス、日和見性呼吸器感染における病原体、及びマイコバクテリウム・ツベルクロシス（Ｍｙｃｏｂａｃｔｅｒｉｕｍ  ｔｕｂｅｒｃｕｌｏｓｉｓ）の代替としてのマイコバクテリウム・スメグマチス（Ｍｙｃｏｂａｃｔｅｒｉｕｍ  ｓｍｅｇｍａｔｉｓ）等であった。
【００１６】
パターン発見／認識アルゴリズム（プロテオーム・クエスト（ＰｒｏｔｅｏｍｅＱｕｅｓｔ）（登録商標）は、試験管内の複数種の細菌、例えば、エシェリキア・コリ、バチルス・サブチルス、バチルス・チューリンゲンシス及びマイコバクテリウム・スメグマチスを確実に識別するためにマイクロＤＭｘにより生成されたヘッドスペースガススペクトルを分析するために適用される。進化させた２つの最高精度モデルについての９５％信頼区間内の種の揮発性プロファイルの同定の全体精度は、５と１１の特徴の間の協調的発現に基づき、７０．４％及び８９．３％の間であった。一組の一致化合物に基づく生物の同定にも欠陥があり、この方法においては、揮発性化合物の生成は、全生態系の動力学に依存する（２１）。個々の種は、環境パラメーターが一致する場合のみ揮発性物質の再現可能なプロファイルを生成する。成長条件の変化は、所定の種の揮発性プロファイルを変化させることができる。さらに、他の生物の追加は、これらの「汚染物」による放出される揮発物質が、目的生物の揮発性化合物の産生における変化（２５）、標的生物の予測した揮発性プロファイルを変えることを含む、コミュニケーション様式として作用し得るので、プロファイルを複雑にし得る。このことは、一組の一致化合物に基づく呼気試料中の感染の同定を無効果なものにする。
【００１７】
以下に開示する方法によれば、それぞれの種のセットの中で放出される揮発物質に変動を起こし、当業者がこの変動を無視し、種別間だけを区別するマーカーを見出すことが可能になる。このようなデータ分析アルゴリズムは、揮発性プロファイルにおける種々の特性について効率的に繰り返され、これらの特性はセットの中で変動せず、かつ、データセットを互いに最も区別できるものである。
【００１８】
バチルス芽胞を水中で、報告されたＩＤ５０より下のレベルまで検出することができ、マイクロＤＭｘ（商標）及びプロテオーム・クエスト（登録商標）を用いることにより、近縁種を区別することができる。この装置の感度と上述した強力なアルゴリズムとを組み合わせることにより、意外なことに、細菌に加えて、細菌の芽胞のリアルタイムの検出を可能にする。以下で開示するように、当業者であれば、バチルス芽胞を報告されているバチルス・アンスラシスの感染量の中央値（ＩＤ５０）より下のレベルまで検出することができ、近縁種と区別することができる。例えば、マーカーは、５，０００〜８０，０００個の生物体の注入後、３種のバチルスを区別することが判明した。
【００１９】
Ａ．細菌の分析
試薬
２−ブタノン、２−ペンタノン、２−ヘプタノン、３−オクタノン、３−ノナノン、２−デカノンをシグマ・アルドリッチ（Ｓｉｇｍａ  Ａｌｄｒｉｃｈ）（ミズーリ州セントルイス（Ｓｔ．Ｌｏｕｉｓ，ＭＯ）から購入し、入手したままの状態で使用した。細菌株（エシェリキア・コリ  ＤＨ５α  ＡＴＣＣ  ５３８６８、バチルス・サブチルス  ＡＴＣＣ  ２３８５７、バチルス・チューリンゲンシス  ＡＴＣＣ  １０７９２及びマイコバクテリウム・スメグマチス  ＡＴＣＣ  ７０００８４及び７００７３８）を米国菌培養収集機関（Ａｍｅｒｉｃａｎ  Ｔｙｐｅ  Ｃｕｌｔｕｒｅ  Ｃｏｌｌｅｃｔｉｏｎ）（バージニア州マナッサス（Ｍａｎａｓｓａｓ，ＶＡ））から入手した。ローウェンスタイン−ジェンセン斜面培地をベクトン・ディッキンソン  アンド  カンパニー（Ｂｅｃｔｏｎ，Ｄｉｃｋｉｎｓｏｎ  ａｎｄ  Ｃｏｍｐａｎｙ）（ニュージャージー州フランクリンレイク（Ｆｒａｎｋｌｉｎ  Ｌａｋｅｓ，ＮＪ））から購入した。ルリア−ベルターニ（ＬＢ）をディフコ・ラボラトリーズ（Ｄｉｆｃｏ  Ｌａｂｏｒａｔｏｒｉｅｓ）（ニュージャージー州フランクリンレイク（Ｆｒａｎｋｌｉｎ  Ｌａｋｅｓ，ＮＪ））から入手した。寒天をＥＭサイエンス（ＥＭ  Ｓｃｉｅｎｃｅ）（ニュージャージー州ギブタウン（Ｇｉｂｂｔｏｗｎ，ＮＪ））から入手した。
【００２０】
ＧＣ−マイクロＤＭｘ器具類
実験設備は、ＨＰ  ５８９０  ＩＩ  ＧＣ（アジレント・テクノロジー（Ａｇｉｌｅｎｔ  Ｔｅｃｈｎｏｌｏｇｉｅｓ））の注入口に接続したアジレント７６９４ヘッドスペース試料採取器（Ａｇｉｌｅｎｔ  ７６９４  Ｈｅａｄｓｐａｃｅ  Ｓａｍｐｌｅｒ（カリフォルニア州パロ・アルト（Ｐａｌｏ  Ａｌｔｏ，ＣＡ）のアジレント・テクノロジー）からなる。ＧＣには、内径０．３２ｍｍの１０ｍのＨＰ  ＶＯＣ熔融シリカカラム、及び１．８μｍのビフェニルメチルシロキサンフィルム（アジレント・テクノロジー）が備え付けられ、分析物の公称事前分離を可能とした。微分型移動度分光計（マイクロＤＭｘ）（マサチューセッツ州ウォルサムのシオネックス・コーポレーション（Ｓｉｏｎｅｘ  Ｃｏｒｐｏｒａｔｉｏｎ，Ｗａｌｔｈａｍ，ＭＡ））をＧＣの検出器出口に接続した。グレード５の窒素をキャリアガスとして用いて、ヘッドスペース試料をヘッドスペース試料採取器の培養物バイアルから移送ラインを通ってシリカカラムへ掃き出し、それをマイクロＤＭｘ内に運んだ。試料キャリア流をヘッドスペース試料採取器により調節し、マイクロＤＭｘへの導入のため、質量流制御器（マサチューセッツ州アンドーバーのＭＫＳインストラメンツ（ＭＫＳ  Ｉｎｓｔｒｕｍｅｎｔｓ，Ａｎｄｏｖｅｒ，ＭＡ）により調節した３００ｍｌ／分の第２の窒素流に合流させた。ヘッドスペース試料採取器オーブンを６０℃に、試料ループを７５℃に、そして移送ラインを８５℃に設定した。ＧＣ注入口を１００℃に設定し、ＧＣオーブンを、６０℃における３分間の保持から開始し、１４０℃まで６℃／分の勾配、そして１４０℃にて２分間の保持の勾配プログラムにて操作した。ＧＣ検出器のヒートブロックを１４０℃に設定した。試料バイアルを、ゆっくりかき混ぜながらＧＣオーブン内で６０℃で１５分間加熱し、化合物をヘッドスペース内に放出させた。バイアルを１５．２ｐｓｉにて０．１０分間加圧した。ループ充填時間は０．５分間であり、ループ平衡時間は０．０５分であり、そして注入時間は０．５分であった。マイクロＤＭｘの補償電圧により、０．６５秒毎に−３５〜５ボルトの範囲の電圧が流された。ＲＦ場を１，２００ボルトにて設定した。検出した陽イオン及び陰イオンに対応するスペクトルを、マイクロＤＭｘユニットに接続したラップトップ型コンピューターに記録する。
【００２１】
標準物質
この設備内の検出器の感度をケトン標準物質（それぞれｎ＝５）を用いて試験した。２−ブタノン、２−ペンタノン、２−ヘプタノン、３−オクタノン、３−ノナノン、及び２−デカノンの１ｐｐｍの混合物の一組の希釈液を、脱イオン水で調製した。標準物質は、また、ゲステル多目的試料採取器（Ｇｅｒｓｔｅｌ  Ｍｕｌｔｉｐｕｒｐｏｓｅ  Ｓａｍｐｌｅｒ）（ドイツミュールハイムのゲステル株式会社（Ｇｅｒｓｔｅｌ  Ｉｎｃ．，Ｍｕｌｈｅｉｍ，Ｇｅｒｍａｎｙ））及び同じヘリウムキャリアガス流、時間、及び温度パラメーターを有する５９７３質量分析計（５９７３  Ｍａｓｓ  Ｓｐｅｃｔｒｏｍｅｔｅｒ）（アジレント・テクノロジー）によっても試験した。試験した各濃度について、ＧＣ−マイクロＤＭｘスペクトル上の６個のケトンピークは、それらの絶対的な最大点とした。ピーク最大値の保持時間の間、補償電圧−３４Ｖにおけるバックグラウンド測定値と共に、最大ピークの補償電圧（＋２Ｖと−７Ｖの間で生じる）の強度を記録した。バックグラウンドの測定値をそれらの対応するピーク最大値から差し引いて、ベースラインが差し引かれた強度を５回の測定分について平均し、標準誤差を各濃度のそれぞれのケトンについて計算した。
【００２２】
細菌の調製
エシェリキア・コリ  ＤＨ５α、バチルス・サブチルス及びバチルス・チューリンゲンシスを、ルリア−ベルターニ（ＬＢ）寒天上で３７℃にて成長させ、単一コロニーを用いて、２０ｍｌのＬＢ培養液に植菌した。液体培養物を１８０ｒｐｍにて振盪しながら３７℃で１８時間培養した。次に、これらのバッチ培養物１００μｌを用いて、２０ｍｌのヘッドスペースバイアル（アジレント・テクノロジー）中の１０ｍｌのＬＢに植菌した。ヘッドスペースバイアルを、オートクレーブしたセプタム及びアルミニウムキャップで蓋をして、培養器に１〜９時間戻した。２種類のマイコバクテリウム・スメグマチス株を、ローウェンスタイン−ジェンセン斜面培地上に蒔き、３７℃にて４２時間培養した。２０ｍｌのＬＢ培養液に単一コロニーを植菌し、振盪しながら３７℃にて４２時間培養した。次に、ヘッドスペースバイアルを上述と同様にして植菌し、１〜３２時間培養した。それぞれの細菌種について１００種類以上のヘッドスペース試料を、ＧＣ−ｍｉｒｃｏＤＭｘにより自動採取した。
【００２３】
細菌培養物の特徴決定
培養物の吸光度を、カリー３００バイオ紫外線可視分光光度計（Ｃａｒｙ  ３００  Ｂｉｏ  ＵＶ−Ｖｉｓｉｂｌｅ  Ｓｐｅｃｔｒｏｐｈｏｔｏｍｅｔｅｒ）（カリフォルニア州パロ・アルトのバリアン（Ｖａｒｉａｎ，Ｐａｌｏ  Ａｌｔｏ，ＣＡ））を用いて、１ｍｌの使い捨て光学ポリスチレンキュベット（ペンシルベニア州ウェストチェスターのＶＷＲインターナショナル（ＶＷＲ  Ｉｎｔｅｒｎａｔｉｏｎａｌ，Ｗｅｓｔ  Ｃｈｅｓｔｅｒ，ＰＡ））中で４０分間隔で６００ｎｍにて測定した。それぞれの種について複製試料を試験した。エシェリキア・コリ細胞の吸光度を、ヘッドスペースバイアルにおいて５時間成長させた培養物の希釈物の被覆により近似した。
【００２４】
ＧＣ−マイクロＤＭｘ実験について前述したのと同様にしてセプタムで蓋をしたバイアルにおいて異なる期間培養したエシェリキア・コリのヘッドスペースを、質量分析及び固相マイクロ抽出（ＳＰＭＥ）を用いてさらに特徴決定した。ヘッドスペース中の揮発性有機化合物の抽出を、ＳＰＭＥファイバーアセンブリー（ＳＰＭＥ  Ｆｉｂｅｒ  Ａｓｓｅｍｂｌｙ）（ペンシルベニア州ベレフォンテのスペルコ（Ｓｕｐｅｌｃｏ，Ｂｅｌｌｅｆｏｎｔｅ，ＰＡ））を被覆している６５μｍのポリジメチルシロキサン／ジビニルベンゼン（ＰＤＭＳ／ＤＶＢ）を用いて、６０℃にて１時間行った。ＧＣの条件は次の通りであった：２５０℃にて５分間の脱着、５０℃にて５分間、４分間保持しながら１００℃まで２５℃／分、１５０℃まで１０℃／分を６分間、２０５℃まで５℃／分を最大４０分間の勾配で加熱。内径０．２５ｍｍのＨＰ−５ＭＳ  ３０ｍ熔融シリカカラム及び０．２５μｍのフィルムを用いた（アジレント・テクノロジー）。注入は、スプリットレス／スプリットモードであり、ＳＰＭＥ注入口ライナーを用いて、２５０℃にて５分間で終えた。
【００２５】
データ分析
補償電圧（Ｖｃ）、ＧＣ保持時間及び信号強度の三次元のデータセットをプロットし、ＭＡＴＬＡＢ  ６．５．１放出１３．（ＭＡＴＬＡＢ  ６．５．１  ｒｅｌｅａｓｅ  １３．）（マサチューセッツ州ナティックのマスワークス（Ｍａｔｈｗｏｒｋｓ，Ｎａｔｉｃｋ，ＭＡ））を用いて処理した。Ｖｃは湿度やわずかなガス流速の変動により影響を受け得る（１７、３１）ので、スペクトルを補償電圧次元において調整した。各測定から、正及び負のスペクトルを連結した。次に、それらを、必要に応じて、最大相互相関値により決定される数ピクセル以下の厳格なシフトによりＶｃ次元における調整を行った。この調整のために、１つの参照ファイルを全ファイルについて用いた。次に、全ファイルについて、同じ数のスキャンラインを含むように補間を行った。
【００２６】
ホーランド（Ｈｏｌｌａｎｄ）（３２）により最初に記述された遺伝的アルゴリズムエレメントをコホネン（Ｋｏｈｏｎｅｎ）（３３）により記述されたクラスター分析エレメントと組み合わせた分析を用いて、マイクロＤＭｘスペクトルを調べた。それぞれの種について１０８と１２４の間のスペクトルを、トレーニング用に２５個のファイル群、試験用に５０個のファイル群、及び、モデルの独立した検証用に残りのファイル群に、無作為に分けた。リードクラスターマッピングと遺伝的アルゴリズムの組合せを利用して、前述（２６−３０、３４）の複雑なデータセットにおいて、情報を与える特徴の組合せ（モデルを形成する）を迅速に決定する、プロテオーム・クエスト（登録商標）（メリーランド州ベテスダ（Ｂｅｔｈｅｓｄａ，ＭＤ））のコレロジック・システムズ株式会社）ソフトウェアパッケージを用いてモデルを創出した。多数のモデルを構築し、この中で調節可能なパラメーターを広範囲の値にわたってスキャンして、最良の組合せを見い出した。それぞれのモデルにおける特徴数は５から１２の間で変動した。各クラスターの周囲の決定境界の大きさの測定値であるマッチパラメーターを、０．５（大境界）から０．９（小境界）の範囲にわたってスキャンした。ラーンパラメーターを０．２に設定し、各モデルについて評価される特徴の組合せの数を表すポピュレーションを２０，０００に設定した。それぞれのモデルについて、５０回連続反復してもモデルの精度が改善されなくなるまで、遺伝的アルゴリズムを繰り返した。
【００２７】
結果及び考察
ＧＣ−マイクロＤＭｘ感度
設備の感度を、液体中１ｐｐｍ〜１ｐｐｂの濃度のケトン標準物質についてのスペクトルを分析することにより決定した。各濃度における各ケトンについての最大ピーク強度を検出し、推測したファイルバックグラウンドの値を差引いた。全ての陽イオンスペクトルは、−１６Ｖと−２２Ｖのあたりに２種類のキャリアガス（窒素）ピーク線を有する。マイクロＤＭｘ検出器の陽イオンチャンネルの応答曲線を図１に示す。再現性は２週間にわたって一致し、標準誤差は、１ｐｐｍについて３．５％未満であり、１００ｐｐｂ及び１０ｐｐｂについて２８％未満であった。ケトン濃度１０ｐｐｂ未満では、シグナルはバックグラウンドと区別することができなかった。本発明者らの設備の感度は、同じ条件下での質量分析検出に匹敵するものであった。ＧＣ−ＭＳは、ＧＣ−マイクロＤＭｘと同じＧＣパラメーターを用いてヘッドスペースを試料採取することにより、１００ｐｐｂに至るまでケトン濃度を検出した。本発明者らの設備がケトンに対して高感度であることは、これらの化学物質がしばしば、細菌揮発性物質のライブラリー中（１３、１４、２５、３３〜３７）や、糖尿病（３８）、てんかん（３９）、肝機能障害及び肺癌（４０）等の種々の疾患を有する患者の呼気中に含まれるので、有利である。
【００２８】
細菌の特徴決定
開示した方法は、各種のセット内の揮発性プロファイルの変動を生成し、これにより、この変動にもかかわらず、バイオインフォマティクスアプローチが全てのファイルにおいて一致するバイオマーカーを見出すことができることを確認した。図２に示す生物の成長曲線は、これらの培養条件下で、バチルス・チューリンゲンシスが、およそ１時間誘導期にあり、５．２時間指数関数的に成長して、定常期に入ったことを示す。バチルス・サブチルスについて同様の結果が見られ、１時間誘導期にあり、５．８時間指数関数期にあるというものであった。エシェリキア・コリ培養物は、１時間誘導期にある点は同じであったが、指数関数的成長が９．３時間まで続いた。マイコバクテリウム・スメグマチスの誘導期は９時間であり、３３時間の成長後やっと定常期に達した。指数関数期において、倍加時間は、マイコバクテリウム・スメグマチスについて５．８時間、バチルス・チューリンゲンシスについて１．８時間、バチルス・サブチルスについて１．９時間、そしてエシェリキア・コリについて２．５時間であった。これらの倍加時間は予想より長かったが、これは、それらが最低限のの酸素移送環境下で成長していたためのようであった。指数関数期の中間点で、エシェリキア・コリの吸光度は１．５５吸光度単位であり、それは１ｍｌ当たり３×１０８コロニー形成単位（ＣＦＵ）に相当し、ツベルクロシス空洞において見出されるマイコバクテリアム・ツベルクロシス細菌１０７〜１０９個の生物体（４１）に類似する値であった。
【００２９】
図３は、成長曲線の種々の相におけるマイコバクテリウム・スメグマチスの代表的なマイクロＤＭｘスペクトルを示す。異なる時間培養された細胞から創出されたプロファイルは、若干異なるようである：全ての種で多くのピークが誘導期の後に出現し始め、バチルス・サブチルス、バチルス・チューリンゲンシス、及びマイコバクテリウム・スメグマチスで新たなピークが定常期において出現し、一方指数関数プロット由来のいくつかのピークは、定常期のスペクトルにおいて認識できない。これらの顕著な相違に加えて、揮発性物質の相対濃度の相違及び容易には認識できないほど十分に低い濃度の揮発性物質によるプロファイルバリエーションが存在し得る。異なる期間培養したエシェリキア・コリについて、これらの相違を図４のＧＣ−ＭＳプロファイルにより強調する。そこでは、新たなピークが出現し、他のピークが姿を消し、そしてピークの相対比が経時的に目に見えて変わっている。このデータは、成長曲線の異なる部分では、異なる数の細胞が種々の速度で細胞周期を通じて移動しており、かつ多数の細胞が死んでいき、そしてその両方が異なる経路に関与（４２）し、潜在的に、異なる代謝揮発性物質を放出するという考えと一致する。１つのデータセット内のプロファイル変化において役割を果たす他の作用には、完全には分かっていない揮発性相互作用やマイクロＤＭｘ検出に悪影響を与え得る日々の環境変化が含まれる。
【００３０】
これらの因子は、呼気分析の適用と関係がある。呼気発散物は、互いに相互作用し、固有の特徴を生成する多くの揮発性物質からなる。各人の自然な細菌叢、環境上の化学曝露、及び様々な感染におけるバリエーション、これらは同時に起こりうる、が、目的微生物の生態系を決定し、妨害揮発性シグナルの一部となり得る。
【００３１】
細菌の揮発性物質のパターン認識
１００回を超えるヘッドスペースガス測定を、エシェリキア・コリ、バチルス・サブチルス、バチルス・チューリンゲンシス、及びマイコバクテリウム・スメグマチスについて行った。マイクロＤＭｘ由来のスペクトルを、各細菌種について創出し、トレーニングセット、試験セット、及び検証セットに無作為に分けた。トレーニング試料を特性の蓄積に用い、試験試料を特性を評価するため用いて、残りの独立試料を用いて検証して、マルチ４方向比較モデルを発展させた。モデルの品質を、まず、検証試料を４種類の種のうちの１種類に正確に分類する精度について判断した。全体精度が最も高いモデル（Ａ）は、全検証セットスペクトルの同定において８４．２％の正確さであった。高精度で節点（ノード）の少ない別のモデル（Ｂ）は７７．８％の正確さであった。Ａ及びＢの詳細を表１において概説し、２つのモデルを表２において比較する。各種の検証精度について計算した９５％信頼区間は、ニューカム（Ｎｅｗｃｏｍｂｅ）（４３）により記載された有効スコア法に基づく。両方のモデルについての９５％信頼区間内の全体精度は、７０．４％と８９．３％の間であった。
【００３２】
【表１】
2008530555.tif 000003
【００３３】
【表２】
2008530555.tif 000004
【００３４】
【表３】
2008530555.tif 000005
【００３５】
モデルＡが、クラスターマップの中の５６個の各節点（ノード）の周辺の狭い決定境界（一致＝０．９）を有する１１種類の特性に基づくのに対し、モデルＢは、５種類の特性、７個の節点、及び０．８の若干大きな決定境界一致からなる。異なるモデルにより、幾つかの選択肢がもたらされる：ここで、最高精度のモデルは、より厳密な決定境界とより多くの節点を有するのに対して、若干精度の低い別のモデルは、より少ない節点と、よりまとまっていないデータを有する。時間がたてば高節点モデルがより堅調となることが多くの試料について観察されているが、理論上、モデルが堅調になればなるほど少ない節点を有し、このことは、同じグループ由来のより多くの試料が同じ節点に入ることを意味する。いかなるモデルについても正確な試験は、より新しいデータを調査したとき、それがいかに上手く機能し続けるかということであるので、モデルを長時間試験するまでは、モデルについて長期間の有効な最適な特徴を定義することができない。
【００３６】
細菌の揮発性物質を分類する方法を発展させるに際して、肺環境に生息することができる、非常に多様な細菌（マイコバクテリウム属、時間規模の世代時間を有する抗酸桿菌、対内生芽胞形成バチルス種、分規模の世代時間を有するグラム陽性桿菌）を選択した。同属の２種類の生物についても、近縁種をどのくらい上手く分類できるかを調査するために研究した。分類についてのバイオインフォマティクスアプローチは、類似の細菌種及び異なる細菌種の両方の試料の分類において、全ての試料について一貫して機能した。
【００３７】
モデルＡの１１種類のバイオマーカー特性の位置を、図５Ａの平均スペクトル上に重ねる。モデルＢの特性（示していない）を、同じ方法でスペクトル中に重ねる。分類のため選択した特性は、特定のピークとして容易に区別することはできないようである。スペクトル中の何千もの無作為に選択した位置について繰り返すことにより、及びこれらの位置において測定される強度範囲に基づいてより高度な分類決定を行うことにより、バイオインフォマティクスアプローチによって、、非常に低強度（低揮発性濃度）の特性や、濃度やヘッドスペース成分分子が変化しても同一補償電圧においてのみ検出される化合物を表す特性についての効率的な検索が可能になる。このアプローチにより、試料間のプロファイルの違いを無視し、種別間の違いに焦点を当てることが可能になる。例えば、エシェリキア・コリは、代謝副産物として化合物のインドールを放出することが知られている（４４、４５）。
【００３８】
分類に向けての１つ方法は、マイクロＤＭｘスペクトル上のインドールピークの位置を同定すること、及びピークを用いてこの生物について試験することを試みることである。純粋なインドールのヘッドスペースを、開示した設備で試験し、インドールが約１０４５回のスキャン及び４．６の補償電圧でカラムを通じて溶出することを見出した。しかしながら、インドールに対応すると思われる培養エシェリキア・コリにおけるピークは、指数関数期及び定常期の類似するが一致しない位置で出現し、細菌培養の誘導期において全く出現しなかった。この化学物質は、指数関数期及び定常期において非常に多い存在量を有し、それについてのピークは、全ての他のピークと比較して最も大きいので、高度な分析をすることなくピークを追跡することができる。しかし、図３におけるバチルス・サブチルス及びバチルス・チューリンゲンシスの様な生物のスペクトルを調べるとき、確固とした固有のピークが一見して明らかには見つからない。これらの生物の揮発性物質の低強度のピークは、バックグラウンドノイズに含まれているのかもしれない。もし、特定の揮発性物質のピークが、異なる混合物中において完全に互いに一列に並ぶのであれば、各種のスペクトルを平均し、平均値の差を取ることからなる単純な分析により、それらの揮発性シグニチャーにおける相違を見出すことができる。本件の場合、異なる時間培養した細菌のヘッドスペースに存在する異なる揮発性物質が、異なる方法で互いに作用し、ピークの若干のシフトを生じるので、かかる分析は上手くいかない。
【００３９】
図５Ｂにおいて、バチルス・チューリンゲンシス平均スペクトルをバチルス・サブチルス平均スペクトルから差し引いたとき、わずかに、種別間の認識できる相違が生じる。パターン認識アルゴリズムなしで、このデータを２つの異なる種に分解することはできない。開示したプローチにより、細菌混合物の研究においてさらなる微生物から放出される揮発性物質が存在することに起因し得る変動、又は臨床研究における呼吸化学の多様性を無視することが可能になる。
【００４０】
このタイプの揮発性物質試料採取及びデータ処理は、工学及び肺疾患診断ツールとしての医薬において適用可能であるべきである。ＧＣ−マイクロＤＭｘシステムを、携帯型マイクロＤＭｘ検出器を有する持ち運び可能な装置として製造することができ、ハイスピードキャピラリーカラムとしてシリコンチップベースの微細加工ＧＣカラム（４６）は、イオン移動度分光計に既に接続され、呼気揮発性物質の混合物の事前分離が達成される（４７）。このデータ分析は、複雑なシグナルを有する試料セットからバイオマーカーを、同じグループ内での相違を無視して、感染グループと比較グループの間の相違にのみ焦点をあてることにより、同定することができる。微生物により放出された個々の化合物の正確な同定は、臨床応用において実行可能な選択肢ではない。この方法においては、これらの化合物の同定は、患者が曝されていた他の化学物質やスペクトルをシフトさせるこれらの化合物と他の細菌由来の揮発性物質の相互作用により複雑にされ、単純なピークの同定が妨害される。
【００４１】
開示したＧＣ−マイクロＤＭｘ法により、細菌培養物のヘッドスペースを試料採取し、異なる種について揮発性プロファイルを創出することが可能になる。高感度、持ち運びも可能なマイクロＤＭｘ検出は、好ましくは、改良されたデータ分析と組み合わされる。バイオインフォマティクスパターン認識プロセスを首尾よく適用して、細菌種をそれらの成長曲線の異なる相由来のそれらの揮発性サインに基づき同定するマーカーが見出されてきた。このタイプのデータ分析により、変化するものをセットに包含することが可能になり、そしてそれを、異なる成長相における１つの種から、異なる培養環境での１つの種、１種類の培養における複数の種などへ拡大することができる。現場で使用可能な装置に容易に組み立てることができる器具類及び試料セット内の変動を計算するデータ分析技術を用いて、この方法を、異常及び健常集団の呼気試料の評価に適用し、前記２者を区別するためのマーカーを見出すことができる。その他の用途には、建築材料（４８〜５０）及び獣医学上の使用（５１）における微生物の成長の検出及び同定等がある。
【００４２】
Ｂ．細菌芽胞の分析
芽胞の調製
バチルス・サブチルス株ＳＭＹ、野生型、原栄養性マールブルグ株（Ｐ．シェーファー（Ｓｃｈａｅｆｆｅｒ）から入手した）（９０）を、トリプトース血液寒天基礎培地（ニュージャージー州フランクリンレイクのディフコ・ラボラトリーズ）プレート上３０℃にて一晩予め成長させ、それを用いて、６Ｌのエルレンマイヤーフラスコ中２ＬのＤＳ培地（９１）に植菌した。フラスコを、振盪（２００ｒｐｍ）しながら３７℃で４８時間培養した。１３，０００×ｇ、４℃にて２０分間遠心することにより、細胞を回収し、１００ｍｌの無菌脱イオン水で４回洗浄し、２０ｍｌの無菌水に再懸濁した。位相差顕微鏡により、懸濁液は、９５％の成熟した、屈折性芽胞を含有すると推測された。８０℃にて１０分間加温後、ＤＳ寒天プレート上のコロニー形成を分析することにより、芽胞タイターを決定した。試験のためにより低濃度が要求されるときは、芽胞を無菌水に希釈した。バチルス・セレウス株ＣＩＰ５８３２及びバチルス・チューリンゲンシス株４０７  Ｃｒｙ＋（両方とも、フランスパリのパスツール研究所、Ｄ．レレクルス（Ｄ．Ｌｅｒｅｃｌｕｓ，Ｉｎｓｔｉｔｕｔ  Ｐａｓｔｅｕｒ，Ｐａｒｉｓ，Ｆｒａｎｃｅ）から入手した）をＤＳ寒天プレート上で、３７℃で４８時間成長させた。プレートを滅菌脱イオン水で浸し、細菌コロニーを解体することにより、培養物を回収した。遠心管に移し、１３，０００×ｇ、４℃にて１０分間遠心後、芽胞を上述の通り洗浄し、再懸濁し、次に、タイターを決定した。
【００４３】
バチルス芽胞の熱分解−ＦＡＩＭＳ（強磁場非対称波形イオン移動度分光計）分析
実験設備は、ＨＰ  ５８９０  ガスクロマトグラフ（ＧＣ）（カリフォルニア州パロアルトのアジレント・テクノロジー）の注入口に連結したＣＤＳピロプローブ（Ｐｙｒｏｐｒｏｂｅ）１０００（ペンシルベニア州オクスフォードのＣＤＳアナリティカル株式会社（ＣＤＳ  Ａｎａｌｙｔｉｃａｌ，Ｉｎｃ．，Ｏｘｆｏｒｄ，ＰＡ）からなるものであった。ＧＣには、０．５ｍの不活性化熔融シリカカラム（アジレント）が備え付けられた。プロトタイプＳＤＰ−Ｉ微小微分型移動度分光計（マイクロＤＭｘ）（Ｓｉｎｅｘ  Ｃｏｒｐｏｒａｔｉｏｎ，  Ｗａｌｔｈａｍ，ＭＡ）をＧＣの検出器出口に接続した。グレード５の窒素をキャリアガスとして用いて、熱分解した試料を熱分解チャンバーから不活性化熔融シリカカラムへ掃き出し、それをマイクロＤＭｘ内に運んだ。流れを質量流制御器（マサチューセッツ州アンドーバーのＭＫＳインストラメンツ）により調節し、試料がパイロライザー及びＧＣカラムを通じて運ばれるように３０ｍｌ／分に設定し、そこで、マイクロＤＭｘへの導入のため、３００ｍｌ／分の第２流の窒素流に合流させた。熱分解器の接合部分の温度を１１０℃に設定し、ＧＣの注入口を１５０℃に設定し、ＧＣオーブンを２００℃の一定に維持し、そしてＧＣ検出器ヒートブロックを１５０℃に設定した。
【００４４】
滅菌水に懸濁したバチルス芽胞の４μｌのスラリーを、石英管に充填した。管を熱分解プローブプラチナコイルに置き、次に、プローブを熱分解ユニット内に装填した。次に、０．０１℃／ミリ秒の速度で６５０℃まで温度を上昇させ、次に、９９．９９秒間この温度で維持することにより、芽胞を熱分解した。１．６１２５秒毎に−４０から１０ボルトの範囲の補償電圧スイープを有するように、マイクロＤＭｘをプログラムした。ＲＦ場を１２００ボルトに設定した。検出した陽イオン及び陰イオンに対応する熱分解した芽胞のスペクトルを、マイクロＤＭｘユニットに接続したラップトップ型コンピューターに記録した。
【００４５】
３つの種バチルス・サブチルス、バチルス・セレウス、及びバチルス・チューリンゲンシスのそれぞれについて、３種類の濃度それぞれについて１００回の実験（計９００回の実験）を上述の通り行った。用いた濃度は、２ｅ＋７芽胞／ｍｌ（８０，０００芽胞／実験）、２．５ｅ＋６芽胞／ｍｌ（１０，０００芽胞／実験）、及び１．２５ｅ＋６芽胞／ｍｌ（５，０００芽胞／実験）であった。各ファイルにおいて、熱分解現象開始点が正確に同じ位置としてスキャンされるように、各分析の正及び負のスペクトルを連結し、次に、全分析について調整を行った。加えて、データを、必要に応じて数ピクセル以下厳格にシフトすることによりＶｃ方向に調整し、イオン溶出が試料の含水量及びそれがマイクロＤＭｘ（９２、９３）を通るガス流速度により影響され得る補償電圧として、調整した。データファイルの各Ｖｃ値の全スキャンの総存在量をシグナル参照ファイルのこれらの総存在量と比較することにより、シフト量を決定した。この値が最大となる位置において、データと参照ファイルの相互相関を計算し、最適な調整値を決定した。次いで、この結果に基づき、正及び負のデータをＶｃ方向に厳格にシフトした。次いで、既述（９４−９８）の、ホーランド（Ｈｏｌｌａｎｄ）（９９）により最初に記述された遺伝的アルゴリズムエレメントをコホネン（Ｋｏｈｏｎｅｎ）（１００）により記述されたクラスター分析エレメントと組み合わせて独自に開発されたパターン認識ソフトウェアパッケージであるプロテオーム・クエスト（登録商標）（コレロジック・システムズ株式会社）により、データを分析した。
【００４６】
結果及び考察
バイオマーカー放出（１０１）の最適条件を決定するための方法を行った後、合計ｎ＝１００の熱分解−マイクロＤＭｘ実験を、各バチルス・サブチルス、バチルス・セレウス、及びバチルス・チューリンゲンシス芽胞種について３種類の濃度で行った。各種のデータを、３つのカテゴリー：トレーニングセット（各種５０個のスペクトル）、試験セット（各種１５０個のスペクトル）、及び検証セット（各種〜１００個のスペクトル）に無作為に分けた。トレーニングセット及び試験セットは、種の出所がコンピューターにより確認されたファイルからなる。トレーニングセットを用いて創出したリードクラスターマップの精度を、試験セットを用いて試験した。リードクラスターマップのランキングに続いて、マップマーカー間の遺伝的再結合により、最も情報を与えるマーカーを入れ替えた。次に、リードクラスターマッピングと再結合を、５０回連続サイクルを行っても精度がさらなる改善を示さなくなるまで、繰り返した。次に、モデリング過程では用いなかった検証セットを、モデルにより記録し（ｓｃｏｒｅｄ）、ブラインド（ｂｌｉｎｄｅｄ）データについてモデルの精度の独立した測定を行った。特異性、感度、及び精度を、次の式を用いて独立した検証セットの結果から計算した。
感度＝（真の正）／（真の正＋偽の負）
特異性＝（真の負）／（真の負＋偽の正）
精度＝（真の正＋真の負）／（試料の総数）
【００４７】
ファイルを、全３種の濃度を有する単一種と、これと比較される全３種の第二の単一種とからなる２成分グループにおいてまず比較し、次いで、ある種と別の種との区別を可能にするモデルを創出した。最高精度を与える６種類のモデルの結果を表３に示し、これは全濃度（８０ｋが法、１０ｋ、及び５ｋ）についての双方向モデリングに基づく検証結果の比較を示す。１０１個のバチルス・セレウス、９９個のバチルス・サブチルス、及び１００個のバチルス・チューリンゲンシスファイルを用いた。それぞれの２成分比較を示すデータには、バイオマーカー（Ｂ）、一致（Ｍ）、節点数（Ｎ）、感度（Ｓｎ）、特異性（Ｓｐ）、及びパーセント精度（Ａ）が含まれる。感度及び特異性を、各比較における第１の種について計算した。５，０００芽胞である低いレベルの場合でさえ、９０％より高い精度で、バチルス・サブチルスをバチルス・セレウス及びバチルス・チューリンゲンシスと容易に区別することができた。バチルス・セレウス及びバチルス・チューリンゲンシスは、区別するのが若干難しく、ちょうど７０％の下の精度であった。しかしながら、これらの２種は、遺伝的に非常に類似するので、これは意外なことではない。各モデルについての特異性及び感度もこの表で報告する。例えば、バチルス・セレウスとバチルス・サブチルスの比較において最高精度（９２．０％）を有するモデルについて、検証に用いた各種のファイルについての感度及び特異性は、それぞれ８７．９％及び９６％（バチルス・セレウスに対して計算した）であった。これは、ブラインド試験における１０１個のバチルス・セレウスファイルについて、８９個をバチルス・セレウスとして分類し、残りの１２個をバチルス・サブチルスとして分類し、また、９９個のバチルス・サブチルスファイルのうち、９５個を正しく分類し、４個をバチルス・セレウスとして分類したことを意味する。
【００４８】
【表４】
2008530555.tif 000006
【００４９】
多くのモデルを通じて見出されたバイオマーカーを図６Ａ〜６Ｃに示す。図６Ａは、バチルス・サブチルスとバチルス・チューリンゲンシスの区別を可能にした４０個のモデルにおいて見出したバイオマーカーを示す。多くのモデルにおいて選択したバイオマーカーが１種類存在し、それは、これらの２つの種の区別において重要であることを示すことに注目されたい。図６Ｂは、バチルス・サブチルス及びバチルス・セレウスについての類似のプロットを示し、ここでもまた同じバイオマーカーが、これらのモデルの多くにおいて同様に出現する。バチルス・セレウス及びバチルス・チューリンゲンシスのモデルを比較した場合には（図６Ｃ）、全モデルにわたって同じ頻度で出現するバイオマーカーはなく、そしてそれは、これら２種の分離が難しいことと一致する。バチルス・サブチルスを他の２種と区別する際にとりわけ重要であると思われる１種のバイオマーカーをさらに調べるために、バチルス・サブチルス及びバチルス・チューリンゲンシスについての生データにおけるその点における存在量を図７に図示する。図に示されるように５ｋの濃度においてでさえ、生データにおいて明確な分離の傾向が存在する。各スペクトルについて同じ総イオン流を与えるようにデータを標準化すると、同一プロットが得られる。
【００５０】
バチルス・セレウス及びバチルス・チューリンゲンシスは、それらの近縁性によりバチルス・サブチルスより、互いに区別するのが難しくなる傾向があることを検証するために、バチルス・サブチルスをバチルス・セレウス及びバチルス・チューリンゲンシスファイルのプールから区別する、いくつかの２成分モデルを作成した。モデル化に先立ち、それぞれの種について再度５ｋ、１０ｋ及び８０ｋのファイルを組合せ、無作為化抽出した。５０：１００のトレーニング、１５０：３００の試験及び１００：２０１の検証セットのスペクトル（バチルス・サブチルス：バチルス・セレウス及びバチルス・チューリンゲンシス）を有するモデルを作成した。最高精度を生じる６種のモデルの結果を表４に示し、そしてそれは、３種類の異なる芽胞濃度（８０ｋ  芽胞、１０ｋ、及び５ｋ）にわたるバチルス・セレウス及びバチルス・チューリンゲンシスの組合せに対するバチルス・サブチルスのモデリングに基づく、検証結果を含む。バチルス・サブチルスの１００個のファイルを、他の種の２００個のファイルに対してモデリングした（バチルス・セレウスの１００個のファイル及びバチルス・チューリンゲンシスの１００個のファイル）。示したデータには、特性数（Ｆ）、一致パラメーター（Ｍ）、節点数（Ｎ）、感度（Ｓｎ）、特異性（Ｓｐ）、及び精度（Ａ）が含まれる。感度及び特異性を、バチルス・サブチルスについて計算した。これらのモデルを用いて良好な分類ができたことは、バチルス・セレウス及びバチルス・チューリンゲンシスが、互いに共通するが、バチルス・サブチルスとは異なるバイオマーカーを有することを示す。
【００５１】
【表５】
2008530555.tif 000007
【００５２】
バチルス・セレウスとバチルス・チューリンゲンシスは、分類するのが最も難しいので、これら２つの種を、各濃度で個々にモデリングし、その濃度より下において種が区別できなくなる限界濃度が存在するかどうかを決定した。これらのモデルを創出するために、スペクトルを無作為に抽出し、２５：２５のトレーニング、５０：５０の試験、及び２５：２５の検証（バチルス・セレウス：バチルス・チューリンゲンシス）のセットとした。最高精度を示すモデルは、５ｋの濃度で６０．８％、１０ｋの濃度で６４％、そして８０ｋの濃度で８８％であった。それゆえ、芽胞が存在すればするほど、これらの２つの近縁種についての分類は上手くいく。
【００５３】
次に、セットの３方向比較を行い、１つのモデルにおいて全３群を互いに分類した。これらのモデルについては、８０ｋのデータのみを用いた。この濃度より低い濃度では、バチルス・セレウス及びバチルス・チューリンゲンシスを区別するのが難しくなることが判明したためである。それぞれの種について、スペクトルを無作為に指定し、２５個のトレーニングセット、５０個の試験セット、及び２５個の検証セットとした。結果を表５に示す。検証セットの２５個のバチルス・チューリンゲンシスからなる表５ａにおいて、２個をバチルス・セレウスとして分類し、０個をバチルス・サブチルスとして分類し、２３個を正しく分類した（全体精度９２％）。同様に、バチルス・サブチルスについての精度は、８８％であり、バチルス・セレウスについては５２％であった。全体精度は７７．３％であった。第２のモデルの全体精度は７３．３％であり、種の精度は、バチルス・サブチルス６８％、バチルス・チューリンゲンシス９２％、そしてバチルス・セレウス６０％である。
【００５４】
５，０００個の芽胞濃度の３つの種の代表的スペクトルを図８Ａ〜８Ｃに示す。スペクトルは、６５０℃で９９．９９秒間の熱分解を受けた８０，０００個の芽胞に由来する。陽イオンスペクトルは左側であり、陰イオンスペクトルは右側である。Ｘ軸はＶｃ（Ｖ）を表し、一方ｙ軸はスキャン数を表す。３方向モデル（ａ）に由来する特性は、正のスペクトルについては黒色、負のスペクトルについては白色の円で囲む。ここでは生データを示すが、０と１の間で標準化した後のそれらの相対比に基づき、バイオマーカーを選択した。これらの実験データは、目でみると非常に類似するように見えるが、パターン認識アルゴリズムにより、種を互いに確実に区別するのに十分な量で存在するバイオマーカーが発見された。
【００５５】
バイオハザードの検出用の持ち運び可能、感度のよい、リアル・タイム装置はますます関心を集めている。１つの具体的な興味深い発展形態が、電場を通してそれらの移動度によって分離されたイオンを検出する小さな装置であるマイクロＤＭｘである。化学兵器物質等の、種々の化学物質を特異的かつ感度よく検出するその能力が実証されてきた（９２、１０２〜１０８）。芽胞に高濃度で存在する３種類の化学物質：ジピコリン酸、ピコリン酸、及びピリジンについて、異なるマイクロＤＭｘスペクトルがもたらされ得ることが示された（１０９）。開示された方法は、複雑な生物学的混合物を、バチルス芽胞の近縁種を区別するために十分な情報を含有する、信頼でき、かつ再生可能なパターンに分画する能力を有する。特に、それは、環境試料においてよく見られる芽胞形成細菌である、バチルス・サブチルスを検出し、バチルス・アンスラシスの近縁種であり、報告されている媒体感染量より低いレベルにおいて炭疽の病原因子となるバチルス・セレウス及びバチルス・チューリンゲンシスと区別する能力を有する。特に、それは、バチルス・サブチルスをバチルス・チューリンゲンシスと９８．５％の精度、バチルス・サブチルスをバチルス・セレウスと９２％の精度、及びバチルス・チューリンゲンシス及びバチルス・セレウスと６９％の精度で区別する能力を有する。バチルス・サブチルスも、バチルス・セレウス及びバチルス・チューリンゲンシスが、一緒にグループ化されると、バチルス・セレウス及びバチルス・チューリンゲンシスと区別でき、このことは、バチルス・セレウス及びバチルス・チューリンゲンシスの両方に存在する、同一の、しかし、より遠縁種であるバチルス・サブチルスとは異なるバイオマーカーが存在することを示す。この全範囲にわたって存在するバイオマーカーを見出すことができるよう、モデルを３種類の濃度にわたって創出した。これにより、バイオマーカーが低濃度より低い濃度に希釈されないこと、又はそれらがより高い濃度で検出器に充填されないことを確かにする。
【００５６】
一緒に用いられることにより異なる種間を区別することができる、スペクトルの特性の組合せを検索するためにリードクラスターマッピングを遺伝的アルゴリズムと組み合わせたアルゴリズムである、プロテオーム・クエストを用いて、生きた芽胞の熱分解により創出したスペクトルを分析することにより、試料を分類した。それぞれの得られた特性の組合せは、分類モデルを表す。２成分比較について最高精度を有する６種類のモデルを、表３及び５に示す。表５は、１つの３方向モデルにおけるバチルス・セレウス対バチルス・サブチルス対バチルス・チューリンゲンシスのモデリング結果を示す。８０ｋの濃度のそれぞれの種の２５個のファイルを検証用に用いた。カラムをスクロールして読むことにより、それらの２５個のファイルをどのようにして分類するかが決定され得る。２種類のモデルを示す。０．９の一致を用いたモデル（ａ）は、９個の特性及び２２個の節点を含有し、７７．３％の全体精度を有し、０．８の一致を用いたモデル（ｂ）は、１２個の特性及び４個の節点を含有し、７３．３％の全体精度を有する。
【００５７】
【表６】
2008530555.tif 000008
【００５８】
モデルは、Ｎ−次元空間において定義されるリードクラスターマップであり、ここで、Ｎはそのモデルにおける特性数を表す。それぞれのマップは、クラスター、又は節点からなり、そしてそれは、種ごとに固有である。
【００５９】
未知の試料ついてのスペクトルを既存のマップにマッピングし、その節点によって種の同一性を決定することにより、未知の試料の分類を行う。異なるモデルは、スペクトルにおける特性数、マップにおける節点数、及び節点についての決定境界（一致）サイズが異なる。特性数及び一致パラメーターのサイズ（表３及び４）に基づくデータから、類似する精度を有する多くのモデルを創出できるが、高い一致（０．９）と少ない節点を有するモデルは、種内の違いの少ないスペクトル特性から構築され、より堅調なモデルを表し得る。しかしながら、節点数はまた、種のスペクトル内の個別の違いも反映し、高節点数のものから作成されたモデルは、多くの試料（データは示されていない）について堅調であることが分かった。どのモデルを用いるのがベストであるかについては、より独立したスペクトルのセットを用いて試験すればするほど、明らかになる。スペクトルデータセット内で、強力な分類子である任意の特性がより高い頻度でに選択される。
【００６０】
調べたバチルス種内に、１つの主要な分類子である特性１８０９７（創出した４０種のモデルのほとんどにより選択された）、及び５又は６種のモデルにより選択された多数のあまり主要でない分類子が存在した。主要な特性は、バチルス・サブチルスを他の２つの種の１つと区別するモデルにおいて、高い頻度で出現する。図７は、分類子特性１８０９７ｐのプロット（Ｖｃ＝−２０．９２、スキャン３、陰イオン領域内）である。この特性の生強度を、５ｋの濃度のバチルス・サブチルス（＋）及びバチルス・チューリンゲンシス（ｏ）生データについての１００個のファイルそれぞれから抽出した。それぞれの種のデータは、この点で異なる分布を示す。分類アルゴリズムは、このような決定を行う際の助けとなるデータポイントを見出す。１個の特性単独で、２つの種を完璧には区別できないが、モデル内の特性の固有の組合せにより、２つの種を完璧に区別できる。バチルス・サブチルス及びバチルス・チューリンゲンシスの多くのファイルについてこの特性を調べることにより、この点での生の存在値をプロットしたとき、実際に、分離の傾向が存在することが示される。
【００６１】
２成分比較に加えて、開示した方法によれば、３つの種間を区別できる１つのモデルを創出することもできる（表５、及び表８Ａ〜８Ｃ）。この場合、３方向モデリングは、一般に、２方向モデルより精度が低く、これは、特に、２成分モデリングにおいて見られる、バチルス・セレウス及びバチルス・チューリンゲンシスの高い遺伝的類似性のため、特に、少量で存在するときに、これらの芽胞を区別するのが非常に困難であるためである。
【００６２】
開示した方法は、類似の状況に広く適用可能である。バチルス芽胞に加えて、それは、バチルス・セレウス（食中毒の病原因子）、クロストリジウム・ボツリナム（Ｃｌｏｓｔｒｉｄｉｕｍ  ｂｏｔｕｌｉｎｕｍ）（ボツリスム）、クロストリジウム・ペルフィンゲンス（Ｃ．ｐｅｒｆｉｎｇｅｎｓ）（ガス壊疽及び食中毒）、クロストリジム・テタニ（Ｃ．ｔｅｔａｎｉ）（破傷風）、クロストリジウム・ソルデリー（Ｃ．ｓｏｒｄｅｌｌｉｉ）（下痢性疾患）、及びクロストリジウム・デフィシレ（抗生物質関連性下痢及び偽膜性大腸炎）等の、監視することが重要な他の芽胞形成体に適用され得る。開示した器具によれば、さらなる小型化も可能である。例えば、小さな熱分解オーブンを、マイクロＤＭｘ装置のインラインに直接取り付け、完全な携帯型設備としてもよい。外部コンピューターからのシステムコントロールも容易に実行することができ、そしてそれは、これらのユニットの多くを１つの場所から監視することを可能にする。最終的に、他の種を用いて、種固有のモデルのデーターベースを構築することが可能である。１つの環境試料から得られるスペクトルから、多様な生物学的因子をデーターベースに基づいて同定し得る。
【図面の簡単な説明】
【００６３】
【図１】ケトン試験標準物質を用いた細菌ヘッドスペース分析のため設計されたＧＣ−マイクロＤＭｘにおける検出器の陽イオンチャンネルの応答を示す。
【図２】分析された種の成長曲線を説明する。
【図３】マイコバクテリウム・スメグマチスのその成長サイクルの種々のステージでの代表的スペクトルを示す。
【図４】異なる時間培養されたエシェリキア・コリについての代表的なＧＣ−ＭＳ全イオンクロマトグラムを示す。
【図５Ａ】マイコバクテリウム・スメグマチス（ＭＳ）、バチルス・チューリンゲンシス（ＢＴ）、バチルス・サブチルス（Ｓ）、及びエシェリキア・コリ（ＥＣ）についての平均整列スペクトルを示す。
【図５Ｂ】相互に差しい引いた平均値を追記し、バイオマーカーを重ね合わせた図５Ａのスペクトルを示す。
【図６Ａ−６Ｃ】それぞれ、バチルス・サブチルス対バチルス・チューリンゲンシス、バチルス・サブチルス対バチルス・セレウス、及びバチルス・セレウス対バチルス・チューリンゲンシスの４０個のモデルにわたる特性の分布を示す。
【図７】主要な分類子特性１８０９７のプロットである。
【図８Ａ−８Ｃ】それぞれ、バチルス・サブチルス、バチルス・セレウス、及びバチルス・チューリンゲンシスについての代表的マイクロＤＭｘを示す。
【図１】
2008530555.tif 000009
【図２】
2008530555.tif 000010
【図３】
2008530555.tif 000011
【図４】
2008530555.tif 000012
【図５Ａ】
2008530555.tif 000013
【図５Ｂ】
2008530555.tif 000014
【図６Ａ】
2008530555.tif 000015
【図６Ｂ】
2008530555.tif 000016
【図６Ｃ】
2008530555.tif 000017
【図７】
2008530555.tif 000018
【図８Ａ】
2008530555.tif 000019
【図８Ｂ】
2008530555.tif 000020
【図８Ｃ】
2008530555.tif 000021
【国際調査報告】
2008530555.tif 000022
2008530555.tif 000023
2008530555.tif 000024